(57)【要約】【課題】  鍵盤の演奏側先端にかかる静荷重を調整する際、静荷重を全ての鍵盤について同時に調整することができる簡単な構造の静荷重調整装置を備えたピアノのアクション機構を提供する。【解決手段】  静荷重調整装置は、鍵盤３の演奏側先端にかかる静荷重を軽減させるためにサポート５０の一端部に取り付けられたばね６２と、ばね６２による付勢力を全ての鍵盤に亘って同時に調整するためための付勢力調整機構６０とを備え、付勢力調整機構６０をばね６２の他端に一端が連結された紐６４と、紐６４の他端を固定した状態で紐６４を巻き付けるための巻き付けリール６６とから構成する。【選択図】  図１
2005352285.tif 000002
【特許請求の範囲】
【請求項１】
鍵盤の演奏側先端にかかる静荷重を調整する静荷重調整装置を備えたピアノのアクション機構において、
前記静荷重調整装置は、前記静荷重を軽減させるための付勢手段と、該付勢手段による付勢力を全ての鍵盤に亘って同時に調整する付勢力調整機構を備えたことを特徴とするピアノのアクション機構。
【請求項２】
前記付勢手段は、サポートの一端部に取り付けられたばねであり、前記付勢力調整機構は、前記ばねの他端に連結された紐と、該紐を巻き付けるための巻き付けリールとから構成されたことを特徴とする、請求項１記載のピアノのアクション機構。
【請求項３】
前記巻き付けリールが、前記サポートを支持するサポートレールの空洞部に配置されていることを特徴とする、請求項２記載のピアノのアクション機構。
【請求項４】
前記巻き付けリールが、前記全ての鍵盤の幅方向に亘るロッド部材であることを特徴とする、請求項２又は３記載のピアノのアクション機構。
【請求項５】
前記ロッド部材の端部に前記巻き付けリールを回動させるための回動レバーが設けられたことを特徴とする、請求項４記載のピアノのアクション機構。
【請求項６】
前記巻き付けリールが、前記紐を同時に巻き取ることを特徴とする、請求項２乃至４のいずれかに記載のピアノのアクション機構。
【請求項７】
前記ばねが髭ばねであることを特徴とする、請求項２記載のピアノのアクション機構。
【発明の詳細な説明】
【技術分野】
【０００１】
本発明は、ピアノのアクション機構に関し、詳しくは鍵盤を操作するとき鍵盤の演奏側先端にかかる静荷重を調整する静荷重調整装置を備えたピアノのアクション機構に関する。
【背景技術】
【０００２】
従来より、グランドピアノでは、図５に示すように、鍵盤１００を押下げるとき鍵盤１００の演奏側先端１０１に掛かる静荷重を調整するため、鍵盤１００の演奏側先端１０１の側面１０２に重りとなる鉛１１０を取り付け、音のイメージに合わせ、低音側から高音側に向かって徐々に鍵盤１００の静荷重が軽くなるよう調整している。鉛は、安価で比重（約１１．３）が大きく柔軟性があるため鍵盤の側面への取り付けが容易であるという利点がある。
【０００３】
この静荷重は、ピアノ演奏者には、鍵盤１００のタッチ感として感じられるもので、この静荷重の調整如何でピアノの良否が決定される一つのパラメータであるため、慎重な調整が必要とされている。
【０００４】
しかし、静荷重の調整に鉛１１０を用いると、鉛１１０を取り付けることによる鍵盤自体の重量増加及びピアノ全体の重量増加という問題があった。鍵盤の重量が増加すると、例えば、ソフトペダル（弱い音を出すために鍵盤全体をずらす操作を行うペダル）を踏むのに大きな力が必要となりソフトペダルの操作が遅くなって演奏に支障が生じたりする。また、ピアノ全体の重量が増加すると、ピアノを人手で運搬する場合に多くの人手が必要になるという問題があった。それに加えて、各鍵盤毎に鉛の重さを調整して取り付ける必要があるので、その取り付けに手間がかかるという問題があった。また、鉛を用いて鍵盤の静荷重を調整すると、ピアノの工場出荷時などに、一旦調整した鍵盤の静荷重を再調整する必要が生じた場合、鉛は鍵盤の先端側面に取り付けられているため鉛の取り替えが難しく、簡単に静荷重の再調整を行えないという問題もあった。
【０００５】
これらの問題に対処するため、例えば、下記特許文献には鍵盤の動きをハンマー部の打弦運動に伝達する伝達部であるサポートの下面に板ばねを組み付け、この板ばねの付勢力によってサポートを上方に付勢しそれにより鍵盤にかかる静荷重を低減させ調整する機構が記載されている。
【特許文献１】特開２０００−２５９１４７号公報
【発明の開示】
【発明が解決しようとする課題】
【０００６】
しかしながら、上記特許文献に記載された調整機構の場合、１個の板ばねが複数個のアクション機構に共通に取り付けられている。一般に、各鍵盤にはそれぞれアクション機構が取り付けられているため、１個の板ばねで複数個のアクション機構の静荷重を調整しようとすると、各アクション機構毎の調整が困難という問題があった。
【０００７】
通常、グランドピアノの弦は、低音側が１〜２本弦、中音部が３本弦、高音部が３本弦であり、弦の太さが高音ほど細いため、図５に示す低音側の弦を叩くフェルト１２０は高音側のフェルト１２０よりも大きくて重いものが用いられる。
【０００８】
従って、３本弦を叩く鍵盤１００と２本弦を叩く鍵盤１００とが隣り合う部分などでは他の部分に比べて隣り合う鍵盤１００の間の静荷重の差が大きかったり、また低音側の鍵盤１００の静荷重が高音側に比べて重くなりすぎるという問題があった。これらの隣り合う複数個の鍵盤の静荷重を１つの板ばねで調整することは非常に困難であり細かい調整は殆ど不可能であった。
【０００９】
そこで、各鍵盤のアクション機構毎に板ばねを設けるとなると、結果的に各鍵盤毎の静荷重の調整が必要となり全ての鍵盤の静荷重を調整するのに時間と手間がかかるという問題があった。
【００１０】
本発明は、このような問題点に鑑みなされたもので、その目的は、鍵盤の演奏側先端にかかる静荷重を調整する際、静荷重を全ての鍵盤について同時に調整することができる簡単な構造の静荷重調整装置を備えたピアノのアクション機構を提供することにある。
【課題を解決するための手段】
【００１１】
上記課題を解決するために、請求項１に記載のピアノのアクション機構は、鍵盤の演奏側先端にかかる静荷重を調整する静荷重調整装置を備えたピアノのアクション機構において、前記静荷重調整装置は、前記静荷重を軽減させるための付勢手段と、該付勢手段による付勢力を全ての鍵盤に亘って同時に調整する付勢力調整機構を備えたことを特徴としている。
【００１２】
このような構成によると、全ての鍵盤の演奏側先端にかかる静荷重を同時に調整することができる。
又、請求項２に記載の発明は、請求項１に記載のピアノのアクション機構において、前記付勢手段は、サポートの一端部に取り付けられたばねであり、前記付勢力調整機構は、前記ばねの他端に連結された紐と、該紐を巻き付けるための巻き付けリールとから構成されたことを特徴としている。
【００１３】
このような構成によると、巻き付けリールに巻き付けられた紐を巻き取りあるいは緩めることにより、ばねが有する付勢力の調整を行うことができる。また、付勢力の調整に鉛のような重りを用いないので鍵盤の重量が軽くなり、前述したソフトペダルの素早い操作が可能になるので、ソフトペダルを使用するピアノ演奏に支障をきたす恐れが少なくなる。また、付勢力の調整に鉛のような重りを用いないのでピアノ全体の重量が軽くなり、ピアノを人手で移動させる場合スムーズに移動させることができる。
【００１４】
又、請求項３に記載の発明は、請求項２に記載のピアノのアクション機構において、前記巻き付けリールが、前記サポートを支持するサポートレールの空洞部に配置されていることを特徴としている。
【００１５】
このような構成によると、巻き付けリールを配置するためにアクション機構に特別のスペースを設ける必要がない。
又、請求項４に記載の発明は、請求項２または３に記載のピアノのアクション機構において、前記巻き付けリールが、前記全ての鍵盤の幅方向に亘るロッド部材であることを特徴としている。
【００１６】
このような構成によると、全ての鍵盤のサポートに取り付けられたばねの一端に連結する紐をロッド部材に巻き付けることができる。
又、請求項５に記載の発明は、請求項４に記載のピアノのアクション機構において、前記ロッド部材の端部に前記巻き付けリールを回動させるための回動レバーが設けられたことを特徴としている。
【００１７】
このような構成によると、回動レバーを用いて巻き付けリールを回動させることができる。
又、請求項６に記載の発明は、請求項２乃至４のいずれかに記載のピアノのアクション機構において、前記巻き付けリールが、前記紐を同時に巻き取ることを特徴としている。
【００１８】
このような構成によると、全ての鍵盤のサポートに取り付けられたばねの一端に連結する紐を同時に巻き取ることができる。
又、請求項７に記載の発明は、請求項２記載のピアノのアクション機構において、前記ばねが髭ばねであることを特徴としている。
【００１９】
このような構成によると、ばねの構造が簡単で部品点数が少ないため付勢力調整機構の構造が簡単になりアクション機構の組み付け工数を低減させることができる。
【発明を実施するための最良の形態】
【００２０】
以下に、本発明の好適な実施形態を図面に基づいて説明する。
図１は、本発明に係るグランドピアノのアクション機構を示す正面図である。
図１に示すように、グランドピアノのアクション機構１は、主に、鍵盤３、伝達部５及びハンマー部７からなり、鍵盤３を押鍵する指の動きを、ハンマー部７が弦を打弦する打弦運動に変える働きをする。
【００２１】
鍵盤３は、ピアノ１台当たり８８鍵設置され、各鍵盤３は、演奏側先端（図５参照：符号１０１）を押鍵すると、伝達部５やハンマー部７の下部に配置された後端部が上昇するよう、支持台（図５参照：符号１６０）を支点に揺動自在にそれぞれ設置される。ここで後端部とは鍵盤３の後端側つまり演奏者から遠い側を意味する。
【００２２】
鍵盤３は、バックチェック３０とキャプスタンスクリュー３２とを備えている。
バックチェック３０は、鍵盤３が押鍵されているとき、弦を叩き終わったハンマー部７のハンマーウッド７６に当接する位置に配置されるよう、鍵盤３の最後端近傍の上部に上方に向かって立設されている。
【００２３】
キャプスタンスクリュー３２は、伝達部５を構成するサポート５０に設けられたサポートヒール５０ａに対向する鍵盤３の上部に螺合されている。
なお、以下、鍵盤３の演奏側先端を向く方向（図１の右側方向）を前方と呼び、鍵盤３の演奏側先端とは反対側の方向を後方（図１の左側方向）と呼ぶ。
【００２４】
伝達部５は、サポート５０、ばね６２、サポートレール９０、ジャック５２、レペティションレバー５４及び付勢力調整機構６０から構成されている。
サポート５０は長尺状に形成されており、非動作時には鍵盤３に略平行に配置され、キャプスタンスクリュー３２に対向する下面にはサポートヒール５０ａを備えている。このサポート５０は、後方側を軸として前方側が揺動するよう、サポートフレンジ９２の上端に設けられた回動軸９２ａ周りに回動自在にサポートフレンジ９２に取り付けられている。鍵盤３を押鍵すると、サポート５０は回動軸９２ａを中心に反時計回り方向に回動する。この回動運動を図１に点線の矢印Ａで示す。サポートフレンジ９２は、サポートレール９０の後方側に固定されている。
【００２５】
図２に、図１の付勢力調整機構６０の拡大図を示す。
付勢手段であるばね６２は、図２に示すように、髭ばねである。髭ばねを用いることにより、ばねの構造が簡単で部品点数が少ないため付勢力調整機構の構造が簡単になりアクション機構の組み付け工数を低減させることができる。
【００２６】
ばね６２の一端である取付部６２ｂは、サポート５０の後端部にねじ６２ｃによって固定されている。ばね６２の他端部である端部６２ａには紐６４が連結されている。ばね６２は、サポート５０がサポートフレンジ９２の上端部に設けられた回動軸９２ａ周りに反時計回り方向へ回動するように付勢されている。
【００２７】
図１に戻って、サポートレール９０は、キャプスタンスクリュー３２とバックチェック３０との間の鍵盤３の上方で全ての鍵盤３の幅方向（図１の紙面に垂直な方向）に亘るように配置されている。サポートレール９０は、鍵盤３が並べられる幅方向（図１の紙面に垂直な方向）に沿って所定の間隔をおいて数個設けられたブラケット９に固定されている。
【００２８】
ジャック５２は、長短２本のアーム即ち長アーム５２ａと短アーム５２ｂとからなり、Ｌ字状に形成されている。そしてこのジャック５２は、Ｌ字の角部を支点に回動するようサポート５０の前方側先端に取り付けられ、長尺な長アーム５２ａの先端が、レペティションレバー５４の前方側先端に設けられた図示しない切込部に挿抜自在に配置されている。
【００２９】
レペティションレバー５４は、長尺状に形成され、サポート５０の長手方向中程に上方に向かって垂直に立設されたレペティションレバーフレンジ５４ａの先端に設けられた回動軸５４ｂに対し、前方側が後方側に比べてやや長くなる位置で回動自在に取り付けられている。またこのレペティションレバー５４は、長アーム５２ａの先端が図示しない切込部のやや上方に突出する位置に位置するよう前方側を位置決めするとともに、ハンマー部７が長アーム５２ａの前方側に当接したときクッションの役割をする付勢具５４ｃを備えている。付勢具５４ｃは通常板ばねである。
【００３０】
ハンマー部７は、ハンマーシャンク７０、ハンマーシャンクフレンジ７２、ハンマーシャンクレール７４、ハンマーウッド７６、ハンマーフェルト７８、ハンマーローラ８０、レギュレーティングボタン８２とから構成されている。
【００３１】
ハンマーシャンク７０は長尺状に形成され、前端側を軸にして後端側が揺動するようにされている。即ち、ハンマーシャンクフレンジ７２の後端部に設けられた回動軸７０ａ周りに回動自在に設置されている。ここで、前端側とは鍵盤３の先端側つまり演奏者に近い側を意味し、後端側とは鍵盤３の後端側つまり演奏者から遠い側を意味する。
【００３２】
ハンマーシャンク７０の後端側先端にはハンマーウッド７６が取り付けられ、このハンマーウッド７６の上方先端には、ハンマーフェルト７８が設けられている。
ハンマーローラ８０は、レペティションレバー５４の切込部に挿入されたジャック５２の長アーム５２ａの先端に対向するハンマーシャンク７０の下面に設置され、長アーム５２ａの先端に当接してハンマー部７を支持する。
【００３３】
ハンマーシャンクレール７４は、全ての鍵盤３の幅方向（図１の紙面に垂直な方向）に亘るように配置されている。ハンマーシャンクレール７４は、鍵盤３が並べられる幅方向（図１の紙面に垂直な方向）に沿って所定の間隔をおいて数個設けられたブラケット９に固定されている。ハンマーシャンクフレンジ７２は、鍵盤３毎にハンマーシャンクレール７４に設置されている。
【００３４】
レギュレーティングボタン８２は、鍵盤３が押鍵されサポート５０が矢印Ａのように回動し、鍵盤３が完全に押鍵される少し手前で、ジャック５２の短アーム５２ｂの先端が当接する位置に配置されている。
【００３５】
次に、図２及び図３を参照して付勢力調整機構６０について説明する。図３は、図２のＡ−Ａ断面を示す図である。
付勢力調整機構６０は、紐６４及び巻き付けリール６６から構成されている。
【００３６】
紐６４は、図２に示すように一端がばね６２の端部６２ａに取り付けられ、他端は、図３に示すサポートフレンジ９２の下端部に設けられた貫通穴９２ｂ及びサポートレール９０に設けられた貫通穴（不図示）を通って巻き付けリール６６に巻き付けられている。
【００３７】
巻き付けリール６６は、全ての鍵盤３の幅方向に亘って設けられたロッド部材である。巻き付けリール６６は、図２に示すように、サポートレール９０の空洞部に配置されている。このような配置にすると巻き付けリール６６を配置するために特別なスペースをアクション機構に設ける必要がない。
【００３８】
図４は、付勢力調整機構６０の斜視図である。
巻き付けリール６６には、図４に示すように、各鍵盤のサポート５０の後端に取り付けられたばね６２の端部６２ａに連結された紐６４が巻き付けリール６６に巻き付けられ、紐６４の端部は巻き付けリール６６に固定されている。
【００３９】
巻き付けリール６６は、その両端がステー６６ａによって支持されている。ステー６６ａには巻き付けリール６６を挿通させるための穴が設けられている。巻き付けリール６６の一方の端面には、回動レバーである角型レンチ６８の先端部を挿入するための凹部が設けられている。このように構成すると、角型レンチ６８を回転させることにより巻き付けリール６６を回動させることができる。角型レンチ６８は、本実施形態では四角レンチであるが六角レンチなどの多角形レンチあるいは丸型レンチであってもよい。また、角型レンチ６８は本実施形態では巻き付けリール６６に着脱自在であるが巻き付けリール６６に接着あるいは溶接などにより固定してもよい。
【００４０】
次に、図１乃至図４を参照して本発明に係る静荷重調整装置の作動態様について説明する。
図１に示す鍵盤３の指定された静荷重と釣り合う付勢力を有するばね６２の取付部６２ｂをサポート５０の後端にねじ６２ｃにより取り付ける。ばね６２の端部６２ａに紐６４を連結し、紐６４の他端を図３に示すサポートフレンジ９２の下端部に設けられた貫通穴９２ｂ及びサポートレール９０に設けられた貫通穴（不図示）を通して巻き付けリール６６に巻き付ける。
【００４１】
このようにして、全ての鍵盤３についてそれぞれの鍵盤３に指定された静荷重と釣り合う付勢力を有するばね６２を紐６４で連結し紐６４の他端を巻き付けリール６６に巻き付ける。その後、図４に示す角型レンチ６８を回転させると巻き付けリール６６が回動する。巻き付けリール６６が回動すると、巻き付けリール６６に巻き付けられた紐６４が、紐６４が連結されたばね６２の端部６２ａを前後方向に移動させる。
【００４２】
例えば、図４に示す角型レンチ６８を反時計周り方向に回動すると巻き付けリール６６が反時計周り方向に回動する。巻き付けリール６６が反時計周り方向に回動すると紐６４が図２に示すように巻き付けリール６６に巻き取られる方向（図２の反時計周り方向）に前方側へ移動する。それにより紐６４の端部が連結されているばね６２の端部６２ａが前方側へ移動する。そうすると、ばね６２の付勢力が増加する。その結果、サポート５０の前端側を上方へ押し上げようとする付勢力が増加するので、この付勢力の増加によって鍵盤３を押し下げた際の鍵盤３の静荷重が減少することになる。即ち、鍵盤３の押鍵力が軽減されることになる。
【００４３】
逆に、角型レンチ６８を時計周り方向に回動すると巻き付けリール６６が時計周り方向に回動する。巻き付けリール６６が時計周り方向に回動すると紐６４が図２に示すように巻き付けリール６６に巻き戻される方向（図２の時計周り方向）に後方側へ移動する。それにより紐６４の端部が連結されているばね６２の端部６２ａが後方側へ移動する。そうすると、ばね６２の付勢力が減少する。その結果、サポート５０の前端側を上方へ押し上げようとする付勢力が減少するので、この付勢力の減少によって鍵盤３を押し下げた際の鍵盤３の静荷重が増加することになる。即ち、鍵盤３の押鍵力が増加されることになる。
【００４４】
このようにすると、角型レンチ６８を時計周り方向あるいは反時計回り方向に回転させることにより巻き付けリール６６を回動させて全ての鍵盤３の静荷重を同時に簡単に調整することができる。
【００４５】
巻き付けリール６６には、全ての鍵盤３のサポート５０に取り付けられたばね６２の端部６２ａと連結する紐６４が巻き付けられているので、角型レンチ６８を用いて巻き付けリール６６を回動させることにより全ての鍵盤３のサポート５０のばね６２の付勢力を調整することができる。つまり、巻き付けリール６６を回動させることにより全ての鍵盤３の静荷重を同時に調整することができる。
【００４６】
本実施形態の静荷重調整装置では、静荷重の調整にばね６２を用い、このばね６２を使って鍵盤３を押鍵したときサポート５０の移動方向に付勢することにより静荷重を軽くしている。従って、この静荷重調整装置を用いると、静荷重の調整に鉛のような重りを用いた場合に比べ鍵盤の重量が軽くなり、従来の技術の欄で述べたソフトペダルの素早い操作が可能になり、ソフトペダルを使ったピアノ演奏に支障をきたす恐れが少なくなる。また、本実施形態の静荷重調整装置を用いれば、鉛を用いた場合に比べピアノの重量が軽くなるので、人手でもピアノを容易に運搬することができる。
【００４７】
更に、ピアノの工場出荷時などに、一旦調整した鍵盤の静荷重を再調整する必要が生じた場合にも短時間で容易に静荷重を調整することができる。あるいは、ピアノが販売された後でも、演奏者の要請に応じて短時間で容易に鍵盤３の静荷重を調整することができる。
【図面の簡単な説明】
【００４８】
【図１】グランドピアノのアクション機構を示す正面図である。
【図２】付勢力調整機構を示す拡大図である。
【図３】図２のＡ−Ａ断面を示す図である。
【図４】付勢力調整機構の斜視図である。
【図５】グランドピアノの従来のアクション機構を示す図である。
【符号の説明】
【００４９】
１・・・アクション機構、３・・・鍵盤、５・・・伝達部、７・・・ハンマー部、
９・・・ブラケット、３０・・・バックチェック、３２・・・キャプスタンスクリュー、５０・・・サポート、５０ａ・・・サポートヒール、５２・・・ジャック、
５２ａ・・・長アーム、５２ｂ・・・短アーム、５２ｃ・・・付勢具、
５４・・・レペティションレバー、５４ａ・・・レペティションレバーフレンジ、
５４ｂ・・・回動軸、５４ｃ・・・付勢具、６０・・・付勢力調整機構、６２・・・ばね、６２ａ・・・ばね端部、６２ｂ・・・ばね取付部、６２ｃ・・・ねじ、６４・・・紐、
６６・・・巻き付けリール、６６ａ・・・ステー、６８・・・角型レンチ、
７０・・・ハンマーシャンク、７０ａ・・・回動軸、
７２・・・ハンマーシャンクフレンジ、７４・・・ハンマーシャンクレール、
７６・・・ハンマーウッド、７８・・・ハンマーフェルト、８０・・・ハンマーローラ、８２・・・レギュレーティングボタン、９０・・・サポートレール、
９２・・・サポートフレンジ、９２ａ・・・回動軸、１００・・・鍵盤、
１０１・・・鍵盤１００の演奏側先端、１０２・・・鍵盤１００の側面、
１１０・・・鉛、１２０・・・フェルト、１３０・・・ハンマー部
【図１】
2005352285.tif 000003
【図２】
2005352285.tif 000004
【図３】
2005352285.tif 000005
【図４】
2005352285.tif 000006
【図５】
2005352285.tif 000007